(57)【要約】【課題】    ガードルのような着用者の人体（少なくともボトム部）にフィットする股付き衣類を改良する。【解決手段】    長手方向に緊締力を有する２本の緊締ライン部２１，２２は、体前面側（Ｆ）と体後面（Ｒ）側で１本ずつに繋がり、クロッチ部から上方に向かって左右に離れるように延びるので、体前面側では着用者は腹部に力を入れやすくなり、体後面側では仙腸関節をサポートして腰を安定させ、歩行時にヒップを左右別々に動かしやすくする。そして、体後面側で緊締ライン部２１Ｒ，２２Ｒは仙骨部の脇寄りを通るので、臀裂をサポートしないこととなり、臀裂の皮膚の伸びを阻害せず、歩行時に脚が出しやすくなる。【選択図】  図２
2006052475.tif 000002
【特許請求の範囲】
【請求項１】
伸縮性を有する素材で形成された本体部と、この本体部よりも強い緊締力を有する素材で形成された緊締部とを備え、着用者の人体にフィットするように構成された股付き衣類であって、
前記緊締部は、
少なくとも長手方向に緊締力を有すると共に、着用状態において体前面側の左右の側腹部またはその下方からクロッチ部を経由して、体後面側の左右の側腹部または腰部もしくはその下方に延びる２本の緊締ライン部を有し、
２本の前記緊締ライン部は、
体前面側では鼠径溝の前中心寄りを通りつつ、上方に向かって鼠径溝から離れるように延びて鼠径部にフィットし、体後面側では仙骨部の脇寄りを通りつつ、上方に向かって左右に離れるように臀部にフィットしている、
ことを特徴とする股付き衣類。
【請求項２】
伸縮性を有する素材で形成された本体部と、この本体部よりも強い緊締力を有する素材で形成された緊締部とを備え、着用者の人体にフィットするように構成された股付き衣類であって、
前記緊締部は、
少なくとも長手方向に緊締力を有すると共に、着用状態においてクロッチ部から体前面側の左右の上方に向って延びる体前面側の緊締ライン部と、
少なくとも長手方向に緊締力を有すると共に、着用状態において前記クロッチ部から体後面側の左右の上方に向って延びる体後面側の緊締ライン部と、
を含み、
体前面側の前記緊締ライン部は、着用状態においてクロッチ部と恥骨部との境界部またはその下方で左右に離れており、
体後面側の前記緊締ライン部は、着用状態においてクロッチ部と仙骨部との境界部またはその下方で左右に離れている、
ことを特徴とする股付き衣類。
【請求項３】
左右の前記緊締ライン部は、前記クロッチ部において左右に離れてそれぞれ別体である
ことを特徴とする請求項１または２記載の股付き衣類。
【請求項４】
左右の前記緊締ライン部は、前記クロッチ部において互いに接続または一体とされている
ことを特徴とする請求項１または２記載の股付き衣類。
【請求項５】
体前面側の左右の前記緊締ライン部は、着用状態において左右の前腸棘点にそれぞれフィットする
ことを特徴とする請求項１〜４のいずれか記載の股付き衣類。
【請求項６】
体後面側の左右の前記緊締ライン部は、着用状態において左右の後腸棘点にそれぞれフィットする
ことを特徴とする請求項１〜５のいずれか記載の股付き衣類。
【請求項７】
体前面側の左右の前記緊締ライン部に挟まれたフロント部は、前記緊締ライン部の長手方向と交差する方向において当該緊締ライン部よりも伸縮性を有する
ことを特徴とする請求項１〜６のいずれか記載の股付き衣類。
【請求項８】
前記緊締ライン部は、緊締力を有する帯形状の布材を、前記本体部に縫着、縫合、貼着または接着することにより構成されている
ことを特徴とする請求項１〜７のいずれか記載の股付き衣類。
【請求項９】
前記本体部と前記緊締ライン部は、編み立て一枚布のパワー切り替えにより緊締力と伸縮性が異なるように形成されている
ことを特徴とする請求項１〜７のいずれか記載の股付き衣類。
【請求項１０】
ガードル、スパッツ、水着、タイツ、パンティストッキング、スポーツ用タイツ、レオタード、ボディスーツ、男性用のパンツ、ガードル、スパッツ、水着、スポーツ用タイツのいずれかである
ことを特徴とする請求項１〜９のいずれか記載の股付き衣類。
【発明の詳細な説明】
【技術分野】
【０００１】
本発明は、例えばガードルのような着用者の人体（少なくとも股部を含む腰部）にフィットする股付き衣類に関する。
【背景技術】
【０００２】
このような股付き衣類には、着用者の体形を補整または整形するものの他に、姿勢を矯正するものや、運動機能性の向上に配慮したものなどがある。この中で、緊締力を有する帯状ないしベルト状の布地を使用した股付き衣類の従来例として、以下の特許文献１（特許第２９２１７３７号公報）がある。このフィットタイプの股付き衣類は、緊締力を有する帯状のヒップ引き上げ部などを有しており、脚部が動かしやすくて着用感に優れ、ヒップアップ機能も実現されている。
【０００３】
また、以下の特許文献２（実開昭５８−４６３１３号公報）では、弾性力の強いベルトを、着用者の体前面側と体後面側の双方に有する女性用骨盤サポータが開示されている。体前面側の弾性ベルトは、クロッチ部（股部）から上方に延びて、恥骨部の上部において左右に分かれ、女性の骨盤をサポートするようになっている。そして、左右に分かれた体前面側の弾性ベルトに挟まれたフロント部は、伸縮性に乏しい布材で構成されている。また、体後面側の弾性ベルトは、クロッチ部から上方に延びて臀裂を覆い、仙骨部の上部で左右に分かれている。
【特許文献１】特許第２９２１７３７号公報
【特許文献２】実開昭５８−４６３１３号公報
【発明の開示】
【発明が解決しようとする課題】
【０００４】
ショーツを穿いてウオーキングする場合、早歩きすると腰が安定せず、体がふらついたりする。そこで、姿勢矯正機能や運動機能性を高めた股付き衣類を着用して体を安定させようとすると、歩行時に脚の動きが阻害されたり、歩行時の姿勢を安定性が不十分であったりする問題があった。このような不具合は、特許文献２の股付き衣類によっても解消できず、かえって脚を動かし難くなる等の問題が新たに生じていた、本発明は、このような課題を解決した股付き衣類を提供することを目的とする。
【課題を解決するための手段】
【０００５】
本発明は、伸縮性を有する素材で形成された本体部と、この本体部よりも強い緊締力を有する素材で形成された緊締部とを備え、着用者の人体にフィットするように構成された股付き衣類であって、この緊締部は、少なくとも長手方向に緊締力を有すると共に、着用状態において体前面側の左右の側腹部またはその下方からクロッチ部を経由して、体後面側の左右の側腹部または腰部もしくはその下方に延びる２本の緊締ライン部を有し、この２本の緊締ライン部は、体前面側では鼠径溝の前中心寄りを通りつつ、上方に向かって鼠径溝から離れるように延びて鼠径部にフィットし、体後面側では仙骨部の脇寄りを通りつつ、上方に向かって左右に離れるように臀部にフィットしている、ことを特徴とする。
【０００６】
ここで、着用者の人体における側腹部、クロッチ部、腰部、鼠径溝、鼠径部、仙骨部および臀部の位置は、図７に示す通りである。同図は女性の下半身の身体部位を説明しており、同図（ａ）は正面図、同図（ｂ）は背面図、同図（ｃ）は側面図である。下腹部の前中心は恥骨部、その下方の外陰部および背面側の肛門部はクロッチ部、その背面側の上方は仙骨部と呼ばれる。クロッチ部の体前面側（外陰部）と恥骨部の境界は恥丘の近辺であり、クロッチ部の体後面側（肛門部）と仙骨部の境界は尾骨の近辺である。鼠径溝は下腹部と大腿部の境界にあり、立位では伸展して消えるが座位では溝となって現れる。
【０００７】
鼠径溝と恥骨部に挟まれた左右の三角領域が鼠径部であり、恥骨部と左右の鼠径部で下腹部が構成される。恥骨部の上方に位置するのは臍部であり、その両側が側腹部であって、この臍部と側腹部により中腹部が構成される。左右の側腹部は鼠径部の上方の中腹部領域に広がると共に、背面（体後面）側にも延び、背面側の腰部と側腹部の境界は臀部の中間位置の近辺である。背面側において、仙骨部の上方は脊柱部であり、これは左右の腰部に挟まれている。なお、立った状態の開脚で窪みが生じやすい大転子部は、臀部の脇側に位置する。大腿部は前大腿部と後大腿部からなり、臀部と前大腿部と側腹部に挟まれる三角領域は寛骨部である。
【０００８】
本発明の股付き衣類によると、長手方向に緊締力を有する２本の緊締ライン部は、体前面側と体後面側で１本ずつに繋がり、クロッチ部から上方に向かって左右に離れるように延びるので、体前面側では着用者は腹部に力を入れやすくなり、体後面側では仙腸関節をサポートして腰を安定させ、歩行時にヒップを左右別々に動かしやすくする。また、体前面側では緊締ライン部は鼠径溝から離れるように延びているので、皮膚の伸びを阻害せず、着用感を劣化させない。そして、体後面側で緊締ライン部は仙骨部の脇寄りを通るので、臀裂をサポートしないこととなり、臀裂の皮膚の伸びを阻害せず、歩行時に脚が出しやすくなる。
【０００９】
また本発明は、伸縮性を有する素材で形成された本体部と、この本体部よりも強い緊締力を有する素材で形成された緊締部とを備え、着用者の人体にフィットするように構成された股付き衣類であって、この緊締部は、少なくとも長手方向に緊締力を有すると共に、着用状態においてクロッチ部から体前面側の左右の上方に向って延びる体前面側の緊締ライン部と、少なくとも長手方向に緊締力を有すると共に、着用状態においてクロッチ部から体後面側の左右の上方に向って延びる体後面側の緊締ライン部と、を含み、体前面側の緊締ライン部は、着用状態においてクロッチ部と恥骨部との境界部またはその下方で左右に離れており、体後面側の緊締ライン部は、着用状態においてクロッチ部と仙骨部との境界部またはその下方で左右に離れている、ことを特徴とする。
【００１０】
本発明の股付き衣類によると、長手方向に緊締力を有する体前面側の緊締ライン部はクロッチ部と恥骨部との境界またはその下方で左右に離れているので、着用者は腹部に力を入れやすくなり、長手方向に緊締力を有する体後面側の緊締ライン部はクロッチ部と仙骨部との境界またはその下方で左右に離れているので、仙腸関節をサポートして腰を安定させ、歩行時にヒップを左右別々に動かしやすくする。そして、体後面側の緊締ライン部はクロッチ部と仙骨部との境界またはその下方で左右に離れるので臀溝部をサポートしないこととなり、臀溝部の皮膚の伸びを阻害せず、歩行時に脚が出しやすくなる。
【００１１】
ここで、左右の前記緊締ライン部は、クロッチ部において左右に離れてそれぞれ別体であっても良く、クロッチ部において互いに接続または一体とされていても良い。いずれの場合であっても、体前面側と体後面側の緊締ライン部がクロッチ部で前後に繋がることにより、１本のライン状の緊締部を構成することになるので、骨盤を持ち上げて腰を高い位置に上げる働きをし、歩行時の姿勢が安定して颯爽とした歩行を可能にする。
【００１２】
本発明において、左右の体前面側の緊締ライン部は、着用状態において左右の前腸棘点にそれぞれフィットしても良く、左右の体後面側の緊締ライン部は、着用状態において左右の後腸棘点にそれぞれフィットしても良い。ここで、着用者の人体における前腸棘点および後腸棘点の位置は、図７（ａ）および（ｂ）に示す通りである。前腸棘点および後腸棘点は、いずれも骨盤における部位を指しているが、前腸棘点は鼠径部の脇寄り上部の位置、後腸棘点は臀部の脇側の仙骨寄りの位置にある。これにより、歩行時に腰部の安定性がさらに向上する。
【００１３】
本発明において、体前面側の左右の前記緊締ライン部に挟まれたフロント部は、緊締ライン部の長手方向と交差する方向において当該緊締ライン部よりも伸縮性を有することが望ましい。これにより、腹部をサポートしつつ、腹部に力を入れやすくできる。
【００１４】
本発明において、緊締ライン部は、緊締力を有する帯形状の布材を、本体部に縫着、縫合、貼着または接着することにより構成されていても良く、編み立て一枚布のパワー切り替えにより緊締力と伸縮性が異なるように形成されていても良い。
【００１５】
本発明の股付き衣類としては、ガードル、スパッツ、水着、タイツ、パンティストッキング、スポーツ用タイツ、レオタード、ボディスーツ、男性用のパンツ、ガードル、スパッツ、水着、スポーツ用タイツのいずれかであっても良い。
【発明の効果】
【００１６】
本発明の股付き衣類によれば、歩行時の腰の動きが安定性し、颯爽とした歩行が可能になる効果がある。
【発明を実施するための最良の形態】
【００１７】
本発明にかかる股付き衣類の詳細な構成や機能を、体軸安定型のウォーキングパンツの実施形態により説明する。なお、図面の説明において、同一要素には同一符号を付し、重複説明は省略する。
【００１８】
実施形態にかかるウォーキングパンツの狙いとコンセプトは、以下の通りである。例えば、成年女性がショーツを穿いて歩行した場合には、早歩きすると腰が安定せず、体がふらつきやすい。また、脚が軽やかに出せず、早く歩けないことがあり、お尻や腿の筋肉が揺れて気持ち悪く感じることもある。このような、脚の「動かし難さ」や「不快な思い」をせずに、颯爽と格好よく歩行したい、という着用者のニーズを満足させることが本実施形態の「狙い」とするところであり、そのコンセプトは、着用者の骨盤周りを支えるようなサポートラインで体軸を安定させること、である。
【００１９】
このようなコンセプトは、本発明者らによる以下の検討から見出されたものである。すなわち、颯爽とした歩行をするためには、歩幅を大きくし、かつ、素早く歩行することが必要である。このためには、第１に、下腹部から臀部および腰部にかけてボトム部の重心を高くして上半身を前に出し、脚を前に出しやすい姿勢にすることが必要であり、第２に、背骨を軸にして骨盤を回転させることが必要である。図１は、その概念を模式的に示しており、同図（ａ）の姿勢においてボトム部を矢印Ａ１方向に持ち上げ、かつ、背骨を矢印Ａ２方向に回転させると、同図（ｂ）のような姿勢となり、歩幅が大きく、スムーズに脚が前方に繰り出されるような歩行が可能になる。
【００２０】
図１（a）に示す矢印Ａ１、Ａ２の働きを、女性用のウォーキングパンツによって実現するために、本発明者は骨盤と腹筋に着目し、着用者の骨盤周りのボトム部を支えるのに好適なサポートラインの位置を検討した。まず、体後面側のサポートについて言えば、仙腸関節（骨盤と仙骨のつなぎ目）を支えることで腰が安定する。仙骨の下点の仙骨点と上点近くの後腸棘点は、歩行中も皮膚の動きが少ない部位である。そこで、臀裂部の下方から左右に開くように上方に延びる（略Ｖ字状の）サポートラインを設定し、仙骨部分を後ろから支えると、着用者の脚の動きを妨げることなく腰を高い位置にできる、との知見を得た。
【００２１】
次に、体前面側のサポートについて言えば、腹筋にサポート力が働かないと、腰を高い位置にしても力が入らない。人体構造について考察すると、体前面側には腹部を斜めに走る外腹斜筋がある。そこで、恥骨近傍から左右に開くように上方に延びる（略Ｖ字状の）サポートラインを設定し、外腹斜筋をサポートすると、背骨を軸に骨盤を回転させ得る、との知見を得た。
【００２２】
実施形態に係る女性用ウォーキングパンツは、このような知見に基づき着想されたもので、この基本構成は図２（ａ）〜（ｃ）に示される。同図（ａ）は着用状態で左の太腿を上げた正面図、同図（ｂ）はその背面図、同図（ｃ）はその左側面図であり、着用者の前腸棘点、後腸棘点および仙骨点の位置は、図中で丸印にて示している。このウォーキングパンツ１は、いわゆるロングタイプのガードルを基本構成としており、サポートラインにはベルト状の緊締ライン布２（２１，２２）が縫着、縫合、貼着または接着することにより設けられている。なお、ウォーキングパンツ１のサポートラインの緊締力を高める手法としては、編み立て一枚布のパワー切り替えにより、サポートラインと他の部分で緊締力と伸縮性が異なるようにして、実質的にベルト状の緊締ライン布を形成しても良い。
【００２３】
実施形態に係るウォーキングパンツの構成と機能を、図２を参照して詳細に説明する。まず、このウォーキングパンツは着用者の人体（ボトム部）にフィットするものであって、長手方向に強い緊締力を有するベルト状の布材で構成された緊締ライン布２を備える。緊締ライン布２は、クロッチ部から体前面側の左右の上方に向って略Ｖ字状に延びる２本の体前面側緊締ライン布２１Ｆ，２２Ｆと、クロッチ部から体後面側の左右の上方に向って略Ｖ字状に延びる２本の体後面側緊締ライン布２１Ｒ，２２Ｒと、を含み、クロッチ部で前後に離れることなく、体前面側から体後面側に繋がる左右１本ずつの緊締ライン布２１，２２を構成している。このため、骨盤を持ち上げて腰を高い位置に上げる働きをし、歩行時の姿勢が安定して颯爽とした歩行を可能にする。
【００２４】
なお、左右２本の緊締ライン布２１，２２は、クロッチ部で左右が一体化または互いに接して縫着されていても良いが、左右に離れていて別体（別の布材）とされていても良い。いずれであっても、体前面側から体後面側に繋がる２本の緊締ライン布２１，２２が、着用者の腰を高くする働きは変わらない。
【００２５】
左右の体前面側緊締ライン布２１Ｆ，２２Ｆは、着用状態において左右の前腸棘点にそれぞれフィットしており、左右の体後面側緊締ライン布２１Ｒ，２２Ｒは、着用状態において左右の後腸棘点にそれぞれフィットしている。そして、左右の体前面側緊締ライン布２１Ｆ，２２Ｆに挟まれたフロント布部２４は、左右の方向において体前面側緊締ライン布２１Ｆ，２２Ｆよりも伸縮性を有する布材で構成されている。このように、長手方向に緊締力を有する体前面側緊締ライン布２１Ｆ，２２Ｆは、前腸棘点より下方で左右に離れており、その間は伸縮性の高いフロント布部２４で覆われているので、着用者は腹部に力を入れやすくなる。
【００２６】
一方、長手方向に緊締力を有する体後面側緊締ライン布２１Ｒ，２２Ｒは、仙骨部の下方から左右に離れているので、仙腸関節をサポートして腰を安定させ、歩行時にヒップを左右別々に動かしやすくする。そして、体後面側緊締ライン布２１Ｒ，２２Ｒは恥骨部の下方から左右に離れるので、それ自身が臀溝はもちろん臀裂をサポートすることはなくなり、それらの皮膚の伸びを阻害せず、歩行時に脚が出しやすくなる。
【実施例】
【００２７】
本発明に係るショートタイプのガードルの実施例を、図３〜５を参照して説明する。図３はその構成を示し、同図（ａ）は正面図、同図（ｂ）は背面図である。
【００２８】
それぞれ略Ｖ字状に延びる左右の体前面側緊締ライン布２１Ｆ，２２Ｆと体後面側緊締ライン布２１Ｒ，２２Ｒは、それぞれ図（ａ），（ｂ）中に矢印で示す方向（長手方向）に強い緊締力を有し、クロッチ部で接して縫着されている。体前面側緊締ライン布２１Ｆ，２２Ｆは３〜６ｃｍ程度の幅を有し、上方に向かって徐々に幅広になっている。このため、着用状態では鼠径溝の前中心側に沿うように鼠径部にフィットし、かつ前腸棘点にもフィットする。緊締ライン布２１Ｆ，２２Ｆは鼠径溝の前中心側に沿いながらも、上方に向かって鼠径溝から徐々に離れており、いずれにせよ鼠径溝を覆うことはないので、着用感を劣化させない。
【００２９】
体前面側緊締ライン布２１Ｆ，２２Ｆはクロッチ部の体前面側（特に外陰部）と恥骨部の境界部にある恥丘の近辺で左右に分かれており、ここに逆三角形状のフロント布部２４が挟まれる。フロント布部２４は、逆三角形状で伸縮性の乏しいフロント押さえ布２４Ａと、左右の体前面側緊締ライン布２１Ｆ，２２Ｆとフロント押さえ布２４Ａに挟まれた略Ｖ字状のフロント伸縮布２４Ｂとで構成される。フロント伸縮布２４Ｂは左右の方向（左右の体前面側緊締ライン布２１Ｆ，２２Ｆの緊締方向と交差する方向）に高い伸縮性を有している。
【００３０】
体後面側緊締ライン布２１Ｒ，２２Ｒは５〜８ｃｍ程度の幅を有し、着用状態では後腸棘点にフィットしながら、下方に向かって徐々に幅広になっている。このため、無理なく臀部を下方から持ち上げ得るようになっている。体後面側の緊締ライン布２１Ｒ，２２Ｒはクロッチ部の体後面側（特に外陰部）と仙骨部の境界部にある尾骨の近辺で左右に分かれており、左右の臀部にフィットする。このため、臀裂は覆わないので皮膚の動きを妨げず、着用感を劣化させない。体後面側緊締ライン布２１Ｒ，２２Ｒの側部には、伸縮性を有する本体布１１が縫着され、体後面側緊締ライン布２１Ｒ，２２Ｒに挟まれた逆三角形の部位には、同様に伸縮性を有する後中心布１２が縫着されている。
【００３１】
実施例に係るガードルの上辺は、着用状態において、体前面側にて下腹部と中腹部の境界を越えて中腹部（特に側腹部）の下部に延び、体後面側では臀部の上部あるいは側腹部や腰部の下部まで延びる。このため、寛骨部の上部において、体前面側緊締ライン布２１Ｆ，２２Ｆの脇側の一部が体後面側緊締ライン布２１Ｒ，２２Ｒの脇側の一部と重なり、互いに縫着されている。なお、以下の着用テストに使用した実施例品は、緊締ライン布２１，２２の部分で本体布１１を切り取り、肌側と外側の両方から緊締力を有する布材を縫着して構成したガードルタイプのウォーキングパンツである。
【００３２】
図３のガードルを実施例とし、一般的なショーツを第１比較例とし、市販のガードル（ＧＲＣ４８０）を第２比較例とし、体軸のブレ改善を検証した。それぞれをモニターが着用して歩行練習機上で歩行し、背後から骨盤（特に仙骨稜）の動きをテレビカメラ観察した結果を、図４（ａ）〜（ｃ）に示す。
【００３３】
図４（ａ）中の屈曲線Ａは、第１比較例（ショーツ）の場合の仙骨点の動き、同図（ｂ）中の屈曲線Ｂは、第１比較例（市販のガードル）の場合の仙骨点の動きを示しており、いずれも体軸が不安定な動きをしている。左右に骨盤が揺れて、さらに脂肪まで揺れて体ごと左右に揺れており、結果として仙骨点の動きが左右にばらついている。
【００３４】
図４（ｃ）中の屈曲線Ｃは、実施例の場合の仙骨点の動きを示しており、体軸の動きが極めて安定していることが理解できる。すなわち、体軸を中心として骨盤が回転するように動くので、仙骨点の動きが一定になっている。図５は、計９名のモニターが１０ｍの距離を歩行したときの平均速度を示している。実施例による姿勢安定の効果が颯爽とした歩行を可能にし、これが歩行速度の向上をもたらしていることが確認された。
【００３５】
また、着用感テストにおいても、計９名のモニターのうち７名が「運動中の使用感がすぐれている」と判定した。その理由（フリーアンサーで出された理由）は、「脚が前に出しやすい」と「腰が安定する」が多く、「ずれにくい」と「ヒップアップされる」という回答もあった。さらに、屋外歩行テストでは、「脚が前に出しやすい」と「腰が安定する」の他に、「脚が軽くなった感じがする」という回答も目立った。
【００３６】
上記の実施例品は、緊締ライン布２１，２２の部分で本体布１１を切り取り、肌側と外側の両方から緊締力を有する布材を縫着して構成しているが、帯状の部分（サポートライン）を切り替えず（本体布１１をカットせず）、本体布１１に緊締力を有する布材を裏打ち（当て布）として縫合または接着しても良い。そのようなガードルの製造プロセスは図６に示す通りである。同図（a）のように、本体布１１を展開した状態で緊締力を有するベルト状の２本の当て布を縫合し、同図（ｂ）のように折り返して本体布１１の両脇部を突き合わせ、両者を縫い合わせる。同図（ｃ）は、その製品状態を前側から観察した図である。
【産業上の利用可能性】
【００３７】
本発明は、ガードル、スパッツ、水着、タイツ、パンティストッキング、スポーツ用タイツ、レオタード、ボディスーツ、男性用のパンツ、ガードル、スパッツ、水着、スポーツ用タイツなどの股付き衣類に利用できる。
【図面の簡単な説明】
【００３８】
【図１】本発明の着想に至る原理を説明する図。
【図２】実施形態の基本構成と作用を説明する図。
【図３】実施例に係るガードルの構成を説明する図。
【図４】実施例の効果を、比較例との対比で説明する図。
【図５】実施例の効果を、比較例との対比で説明する図。
【図６】別の実施例に係るガードルの製造プロセスを説明する図。
【図７】人体の下半身の部位を説明する図。
【符号の説明】
【００３９】
１・・・ウォーキングパンツ、１１・・・本体布、１２・・・後中心布、２（２１，２２）・・・緊締ライン部、２１Ｆ，２２Ｆ・・・体前面側の緊締ライン布、２１Ｒ，２２Ｒ・・・体後面側の緊締ライン布、２４Ｆ・・・フロント布、２４Ａ・・・フロント押さえ布、２４Ｂ・・・フロント伸縮布。
【図１】
2006052475.tif 000003
【図２】
2006052475.tif 000004
【図３】
2006052475.tif 000005
【図４】
2006052475.tif 000006
【図５】
2006052475.tif 000007
【図６】
2006052475.tif 000008
【図７】
2006052475.tif 000009